【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
会員の情報を含む会員データベースに、会員の携帯端末に搭載されているＩＣチップのチップＩＤを会員ＩＤとして登録し、
操作台若しくは当該操作台へ備え付けられている台表示装置、あるいは、当該操作台に隣接配置されている媒体貸し出し処理を行う台サンドに、着脱可能な状態で、少なくとも表示部と前記チップＩＤを読み取るリーダを備えた情報出力装置を取り付け、
当該情報出力装置のリーダによって、前記携帯端末のチップＩＤを読み取らせ、
読み取らせた前記チップＩＤを前記会員ＩＤとして前記会員データベースを検索し、該当する会員ＩＤがあるか否かを判別し、
前記判別した結果、前記会員ＩＤがある場合には、第１の情報および第２の情報が登録されている情報データベースから、前記第１の情報を取り出して、前記情報出力装置の前記表示部に表示し、
前記会員ＩＤがない場合には、前記第２の情報を取り出して、前記情報出力装置の前記表示部に表示することを特徴とする情報の配信方法。
【請求項２】
請求項１において、
前記判別した結果、前記会員ＩＤがある場合には、前記情報出力装置に対応している前記操作台および／または前記台サンドの情報を読み出して、履歴データとして前記会員ＩＤに対応させて履歴データベースに登録する動作を開始することを特徴とする情報の配信方法。
【請求項３】
請求項２において、
前記情報出力装置はスイッチを配置し、
当該スイッチの入力を検出すると、前記第１の情報の表示を停止すると共に、前記履歴データの登録動作を終了することを特徴とする情報の配信方法。
【請求項４】
請求項２において、
前記操作台若しくは前記台表示装置、あるいは前記台サンドには、前記情報出力装置が取り外されているか否かを監視する監視手段を有しており、
前記監視手段が、前記情報出力装置が前記操作台若しくは前記台表示装置、あるいは前記台サンドから取り外されているか否かを監視し、
所定時間以上に亘って取り外された状態が継続している判断した場合、前記第１の情報の表示を停止すると共に、前記履歴データの登録動作を終了することを特徴とする情報の配信方法。
【請求項５】
請求項２において、
前記情報出力装置は、前記操作台に操作者がいるか否かを監視する操作者監視手段を有しており、
前記操作者監視手段が所定時間以上に亘って操作者がいない状態が継続していると判断した場合、前記第１の情報の出力を停止すると共に、前記履歴データの登録動作を終了することを特徴とする情報の配信方法。
【請求項６】
請求項２において、
前記情報出力装置によって新たな携帯端末のチップＩＤが読み込まれると、先に読み込まれたチップＩＤに対応付けされた会員ＩＤの前記履歴データの登録動作を終了することを特徴とする情報の配信方法。
【請求項７】
請求項１において、
前記操作台若しくは前記台表示装置、あるいは前記台サンドには、前記情報出力装置が取り外されているか否かを監視する監視手段を有しており、
前記監視手段が、前記情報出力装置が所定時間以上に亘って取り外された状態が継続していると判断した場合、前記情報出力装置、または、前記操作台若しくは前記台表示装置、あるいは前記台サンドに備えた警告手段から、警告を発生させることを特徴とする情報の配信方法。
【請求項８】
請求項２において、
前記判別した結果、前記会員ＩＤがある場合には、前記履歴データベースに登録されている当該会員ＩＤの前記履歴データが反映された前記第１の情報が、前記情報データベースから取り出されて前記情報出力装置の前記表示部に表示することを特徴とする情報の配信方法。
【請求項９】
請求項８において、
前記履歴データが反映された前記第１の情報には、前記チップＩＤで特定される会員ＩＤに対応するもので、多く使用した操作台の機種に関する、少なくともイベント情報、操作方法情報のいずれかが含まれていることを特徴とする情報の配信方法。
【請求項１０】
請求項２において、
前記第１の情報は、前記情報出力装置が対応付けされている前記操作台に関する、少なくとも操作方法情報、前記操作台の履歴データのいずれかが含まれている操作台情報であることを特徴とする情報の配信方法。
【請求項１１】
請求項１において、
前記会員データベースに、操作会員ＩＤに前記携帯端末の電子メールアドレスを対応付けして登録しておき、
定期的に、および／または、必要に応じて、前記電子メールアドレス宛に、情報を配信することを特徴とする情報の配信方法。
【請求項１２】
データベースサーバと、
操作台若しくは当該操作台へ備え付けられている台表示装置、あるいは、当該操作台に隣接配置されている媒体貸し出し処理を行う台サンドに、着脱可能な状態で取り付けられる情報出力装置とを有し、
前記データベースサーバは、携帯端末に搭載されているＩＣチップのチップＩＤを会員ＩＤとして会員の情報を登録している会員データベースと、第１の情報および第２の情報が登録されている情報データベースとを備えており、
前記情報出力装置は、非接触状態で前記携帯端末の前記チップＩＤを読み込み可能なチップＩＤ読み込み手段と、前記チップＩＤ読み込み手段によって読み込まれた前記チップＩＤを前記会員ＩＤとして前記会員データベースを検索し、該当する会員ＩＤがあるか否かを判別する会員照合手段と、前記会員ＩＤがある場合には、前記情報データベースから前記第１の情報をダウンロードするダウンロード手段と、ダウンロードした前記第１の情報を表示する表示手段とを備え、前記会員ＩＤがない場合には、前記ダウンロード手段により前記情報データベースから前記第２の情報をダウンロードし、ダウンロードした前記第２の情報を前記表示手段によって表示することを特徴とする情報の配信システム。
【請求項１３】
請求項１２において、
前記台表示装置は、対応する前記操作台に関する情報を前記情報データベースからダウンロードして記憶保持しているメモリを備えており、
前記情報出力装置の前記ダウンロード手段は、前記会員照合手段により前記会員ＩＤがあると判別した場合には、当該メモリから前記第１の情報をダウンロードすることを特徴とする情報の配信システム。
【請求項１４】
請求項１３において、
前記データベースサーバは、前記会員ＩＤに対応する履歴データが登録されている履歴データベースを有し、
当該データベースサーバは、前記会員照合手段により前記会員ＩＤがあると判別した場合には、前記情報出力装置に対応付けされている前記操作台での当該会員ＩＤに対応する情報を、当該操作台および／または前記台サンドから読み出して、前記履歴データベースに登録する動作を開始することを特徴とする情報の配信システム。
【請求項１５】
請求項１４において、
前記情報出力装置のチップＩＤ読み取り手段によって新たな携帯端末のチップＩＤが読み込まれると、前記データベースサーバは、先に読み込まれたチップＩＤに対応付けされた会員ＩＤの前記履歴データの登録動作を終了することを特徴とする情報の配信システム。
【手続補正２】
【補正対象書類名】明細書
【補正対象項目名】発明の名称
【補正方法】変更
【補正の内容】
【発明の名称】情報の配信方法および配信システム
【手続補正３】
【補正対象書類名】明細書
【補正対象項目名】０００１
【補正方法】変更
【補正の内容】
【０００１】
本発明は、パチンコ店等の施設において、会員登録をした操作者に向けてイベント情報や遊技方法などの情報を配信するための情報の配信方法および配信システムに関する。
【手続補正４】
【補正対象書類名】明細書
【補正対象項目名】０００９
【補正方法】変更
【補正の内容】
【０００９】
上記課題を解決するために、本発明の情報の配信方法は、会員の情報を含む会員データベースに、会員の所有する携帯端末に搭載されているＩＣチップのチップＩＤを会員ＩＤとして登録し、操作台若しくは当該操作台へ備え付けられている台表示装置、あるいは、当該操作台に隣接配置されている媒体貸し出し処理を行う台サンドに、着脱可能な状態で、少なくとも表示部と前記チップＩＤを読み取るリーダを備えた情報出力装置を取り付け、当該情報出力装置のリーダによって、前記携帯端末のチップＩＤを読み取らせ、読み取らせた前記チップＩＤを前記会員ＩＤとして前記会員データベースを検索して、該当する会員ＩＤがあるか否かを判別し、前記判別した結果、前記会員ＩＤがある場合には、第１の情報および第２の情報が登録されている情報データベースから、前記第１の情報を取り出して、前記情報出力装置の前記表示部に表示し、前記会員ＩＤがない場合には、前記第２の情報を前記情報出力装置の前記表示部に表示することを特徴とする。
【手続補正５】
【補正対象書類名】明細書
【補正対象項目名】００１２
【補正方法】変更
【補正の内容】
【００１２】
本発明において、前記判別した結果、前記会員ＩＤがある場合には、前記情報出力装置に対応している前記操作台および／または前記台サンドの情報を読み出して履歴データとして、前記会員ＩＤに対応させて履歴データベースに登録する動作を開始することが好ましい。会員の遊技履歴を収集して遊技履歴データベースに蓄積するようにしておけば、蓄積された会員の遊技履歴から、優良顧客を抽出して、効率的な販売促進活動を行なうことができるので、便利である。
【手続補正６】
【補正対象書類名】明細書
【補正対象項目名】００１３
【補正方法】変更
【補正の内容】
【００１３】
ここで、前記情報出力装置はスイッチを配置し、当該スイッチの入力を検出すると、前記第１の情報の表示を停止すると共に、前記履歴データの登録動作を終了することが好ましい。遊技が終了した遊技者に、終了スイッチを押してもらうようにすれば、遊技履歴データベースに遊技履歴を登録することが容易になる。
【手続補正７】
【補正対象書類名】明細書
【補正対象項目名】００１４
【補正方法】変更
【補正の内容】
【００１４】
さらに、前記操作台若しくは前記台表示装置、あるいは前記台サンドには、前記情報出力装置が取り外されているか否かを監視する監視手段を有しており、前記監視手段が、前記情報出力装置が前記操作台若しくは前記台表示装置、あるいは前記台サンドから取り外されているか否かを監視し、所定時間以上に亘って取り外された状態が継続している判断した場合、前記第１の情報の表示を停止すると共に、前記履歴データの登録動作を終了することが好ましい。このようにすれば、遊技者が終了スイッチを押さずに、情報出力装置を取り外したままの状態で帰ってしまった場合でも、遊技履歴の登録を終了することができる。
【手続補正８】
【補正対象書類名】明細書
【補正対象項目名】００１５
【補正方法】変更
【補正の内容】
【００１５】
また、  前記情報出力装置は、前記操作台に操作者がいるか否かを監視する操作者監視手段を有しており、前記操作者監視手段が所定時間以上に亘って操作者がいない状態が継続していると判断した場合、前記第１の情報の出力を停止すると共に、前記履歴データの登録動作を終了することが好ましい。このようにしておけば、遊技者が所定時間以上に亘って遊技台の前にいない場合には、遊技者の遊技が終了したものと判断して、遊技履歴の登録を終了することができる。
【手続補正９】
【補正対象書類名】明細書
【補正対象項目名】００１６
【補正方法】変更
【補正の内容】
【００１６】
また、前記情報出力装置によって新たな携帯端末のチップＩＤが読み込まれると、先に読み込まれたチップＩＤに対応付けされた会員ＩＤの前記履歴データの登録動作を終了することが好ましい。このようにすれば、前の遊技者が終了スイッチを押さずに帰った場合でも、次の遊技者がその遊技台で遊技する準備を始めた場合には、前の遊技者の遊技履歴の登録を終了することができる。
【手続補正１０】
【補正対象書類名】明細書
【補正対象項目名】００１７
【補正方法】変更
【補正の内容】
【００１７】
本発明において、前記操作台若しくは前記台表示装置、あるいは前記台サンドには、前記情報出力装置が取り外されているか否かを監視する監視手段を有しており、前記監視手段が、前記情報出力装置が所定時間以上に亘って取り外された状態が継続していると判断した場合、前記情報出力装置、または、前記操作台若しくは前記台表示装置、あるいは前記台サンドに備えた警告手段から、警告を発生させることが好ましい。このようにすれば、情報出力装置の紛失等を防止することができる。
【手続補正１１】
【補正対象書類名】明細書
【補正対象項目名】００２７
【補正方法】変更
【補正の内容】
【００２７】
次に、本発明において、前記判別した結果、前記会員ＩＤがある場合には、前記履歴データベースに登録されている当該会員ＩＤの前記履歴データが反映された前記第１の情報が、前記情報データベースから取り出されて前記情報出力装置の前記表示部に表示することが好ましい。会員に対して配信される情報に当該会員の遊技履歴を反映するようにしておけば、会員は自らの嗜好に合った情報を得ることができる。また、遊技施設側では、会員の嗜好に合った情報を提供することができるので、効率的な販売促進活動を行なうことができる。
【手続補正１２】
【補正対象書類名】明細書
【補正対象項目名】００２８
【補正方法】変更
【補正の内容】
【００２８】
ここで、前記履歴データが反映された前記第１の情報には、前記チップＩＤで特定される会員ＩＤに対応するもので、多く使用した操作台の機種に関する、少なくともイベント情報、操作方法情報、攻略方法のいずれかが含まれていることが好ましい。遊技者が好んで遊技する機種の情報は、遊技者の嗜好に合っている場合が多い。
【手続補正１３】
【補正対象書類名】明細書
【補正対象項目名】００２９
【補正方法】変更
【補正の内容】
【００２９】
また、前記第１の情報は、前記情報出力装置が対応付けされている前記操作台に関する、少なくとも操作方法情報、前記操作台の履歴データのいずれかが含まれている操作台情報であることが好ましい。このような情報を配信すれば、遊技者が新規な遊技台に挑戦する場合でも、遊技者は遊技台に関する必要な情報を得ることができるので、遊技し易い。
【手続補正１４】
【補正対象書類名】明細書
【補正対象項目名】００３０
【補正方法】変更
【補正の内容】
【００３０】
本発明において、前記会員データベースに、操作会員ＩＤに前記携帯端末の電子メールアドレスを対応付けして登録しておき、定期的に、および／または、必要に応じて、前記電子メールアドレス宛に、情報を配信することが好ましい。情報出力装置からだけではなく、遊技者が所持している携帯電話にも情報を配信するようにすれば、会員に対して、より効果的な販売促進活動を行なうことができる。
【手続補正１５】
【補正対象書類名】明細書
【補正対象項目名】００３１
【補正方法】変更
【補正の内容】
【００３１】
次に、本発明は、情報の配信システムであって、データベースサーバと、操作台若しくは操作台へ備え付けられている台表示装置、あるいは、当該操作台に隣接配置されている媒体貸し出し処理を行う台サンドに、着脱可能な状態で取り付けられる情報出力装置とを有し、前記データベースサーバは、携帯端末に搭載されているＩＣチップのチップＩＤを会員ＩＤとして、会員の情報を登録している会員データベースと、第１の情報および第２の情報が登録されている情報データベースとを備えており、前記情報出力装置は、非接触状態で前記携帯端末の前記チップＩＤを読み込み可能なチップＩＤ読み込み手段と、前記チップＩＤ読み込み手段によって読み込まれた前記チップＩＤを前記会員ＩＤとして前記会員データベースを検索して、該当する会員ＩＤがあるか否かを判別する会員照合手段と、前記会員ＩＤがある場合には、前記情報データベースから前記第１の情報をダウンロードするダウンロード手段と、ダウンロードした前記第１の情報を表示する表示手段とを備え、前記会員ＩＤがない場合には、前記ダウンロード手段により前記情報データベースから前記第２の情報をダウンロードし、ダウンロードした前記第２の情報を前記表示手段によって表示することを特徴とする。
【手続補正１６】
【補正対象書類名】明細書
【補正対象項目名】００３４
【補正方法】変更
【補正の内容】
【００３４】
ここで、前記台表示装置は、対応する前記操作台に関する情報を前記情報データベースからダウンロードして記憶保持しているメモリを備えており、前記情報出力装置の前記ダウンロード手段は、前記会員照合手段により前記会員ＩＤがあると判別した場合には、当該メモリから前記第１の情報をダウンロードすることを特徴とする。遊技情報データベースからダウンロードする情報は一旦台ランプ装置のメモリに記憶保持されるので、データベースサーバと情報出力装置との間での情報トラフィックを抑えることができる。また、情報出力装置が台ランプ装置から取り外された後、隣の情報出力装置と入れ替わってしまった場合でも、情報出力装置を台ランプ装置に装着すれば、対応している遊技台に関する情報が情報出力装置にダウンロードされるので、対応する遊技台と異なる機種の情報が表示されたままになることがない。
【手続補正１７】
【補正対象書類名】明細書
【補正対象項目名】００３５
【補正方法】変更
【補正の内容】
【００３５】
本発明において、前記データベースサーバは、前記会員ＩＤに対応する履歴データが登録されている履歴データベースを有し、当該データベースサーバは、前記会員照合手段により前記会員ＩＤがあると判別した場合には、前記情報出力装置に対応付けされている前記操作台での当該会員ＩＤに対応する情報を、当該操作台および／または前記台サンドから読み出して、前記履歴データベースに登録する動作を開始することが好ましい。会員の遊技履歴を収集して遊技履歴データベースに蓄積するようにしておけば、蓄積された会員の遊技履歴から、優良顧客を抽出して、効率的な販売促進活動を行なうことができるので、便利である。
【手続補正１８】
【補正対象書類名】明細書
【補正対象項目名】００４０
【補正方法】変更
【補正の内容】
【００４０】
また、前記情報出力装置のチップＩＤ読み取り手段によって新たな携帯端末のチップＩＤが読み込まれると、前記データベースサーバは、先に読み込まれたチップＩＤに対応付けされた前記会員ＩＤの前記履歴データの登録動作を終了することが好ましい。このようにすれば、前の遊技者が情報出力装置の終了スイッチを押さずに帰った場合でも、次の遊技者が情報出力装置のチップＩＤ読み取り手段に携帯電話をかざした場合には、前の遊技者の遊技履歴の登録動作を終了することができる。